(57)【要約】  【課題】小形・軽量化と共に、構造の簡略化を図り、コストを下げて安価に提供する。  【解決手段】ヘッドバンド・アジャスタ機構付のバンド部材３を備えたヘルメット１であって、バンド部材３は、両端部３ａにそれぞれ係止用の係合孔１２を設けて可撓性材により弧状に形成する。帽体２は、発泡スチロール等の軽量緩衝材料によりなる内側帽体２Ａと、この内側帽体２Ａの外側形状にほぼ倣った内面形状を有し、内側帽体２Ａの外側面にほぼ密着して配置される外側帽体２Ｂとで構成する。内側帽体２Ａには、バンド部材３の両端部３ａを内側から外側まで通す貫通孔６と、該貫通孔６を貫通したバンド部材３の両端部３ａをほぼ９０度屈曲させて折り曲げると係合孔１２に係合する係合突部８とを設ける。バンド部材３の係合孔１２と内側帽体２Ａの係合突部８とを互いに係合させた状態で、外側帽体２Ｂを内側帽体２Ａに被着し、係合孔１２と係合突部８との係合固定を保持し、バンド部材３を取り付ける。【選択図】図１
2006316376.tif 000002
【特許請求の範囲】
【請求項１】
帽体の後部内側に装備され、着用者の後頭部外側を取り巻くように装着される、ヘッドバンドの長さを調節できるように構成されたアジャスタ機構付のバンド部材を備えたヘルメットにおいて、
前記バンド部材を、両端部にそれぞれ係止用の係合孔または係合突部を設けて可撓性材により弧状に形成していると共に、
前記帽体を、発泡スチロール等の軽量緩衝材料により前記着用者が頭部に冠着すべき形状に形成された内側帽体と、この内側帽体の外側形状にほぼ倣った内面形状を有し、該内側帽体の外側を覆って該内側帽体にほぼ密着して配置される外側帽体とで構成し、
かつ、前記内側帽体に、前記バンド部材の両端部をそれぞれ内側から外側まで通す左右一対の貫通孔と、該貫通孔を貫通した前記バンドの両端部をほぼ９０度屈曲させると前記係合孔または係合突部と互いに係止可能な係合突部または係合孔とを設けてなり、
前記バンド部材の係合孔または係合突部と前記内側帽体の係合突部または係合孔とを互いに係止させた状態で、前記内側帽体に前記外側帽体を被着してなることを特徴とするヘルメット。
【請求項２】
上記バンド部材の各端部と上記外側端部との間に、上記内側帽体に前記外側帽体を被着したとき、前記バンド部材の各端部を前記内側帽体に対し押し付け、前記内側帽体と前記外側帽体との間における前記バンド部材の遊びを無くすスペーサを設けたことを特徴とする請求項１記載のヘルメット。
【発明の詳細な説明】
【技術分野】
【０００１】
本発明はヘルメットに関するものであり、特に、帽体の後部内側に装備され、着用者の後頭部外側を取り巻くように装着される、ヘッドバンドの長さを調節できるように構成されたアジャスタ機構付のバンド部材を備えたヘルメットに関するものである。
【背景技術】
【０００２】
従来、この種のアジャスタ機構付のバンド部材を備えたヘルメットは、例えば特許文献１で知られている。そのバンド部材は、帽体の左右内面側からそれぞれ突出されている止め具に、両端部を係止させることにより取り付けられている。したがって、止め具の突出が着用者の頭部に当たらないようにするのに、特許文献１にも示されているように、別の環状ヘッドバンド及びハンモック等を帽体のほぼ内側全体に配置し、ヘルメット装着時に、頭部がヘルメットの内面から離れた状態になる構造を採っている。
【特許文献１】特開平１３−２６２４２３号公報。
【発明の開示】
【発明が解決しようとする課題】
【０００３】
特許文献１記載の発明は、周回ヘッドバンド及びハンモック等を、帽体のほぼ内側全体に配置し、ヘルメット装着時に、ヘルメットの内面から頭部が離れた状態になる構造を採っている。このため、ヘルメット全体が大形化し、重量も大きくなっている問題点があった。さらに、部品点数が多く、構造も複雑で、コスト高になっている問題点等もあった。
【０００４】
そこで、小形・軽量化と共に、構造の簡略化を図り、コストを下げて安価に提供するために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、帽体の後部内側に装備され、着用者の後頭部外側を取り巻くように装着される、ヘッドバンドの長さを調節できるように構成されたアジャスタ機構付のバンド部材を備えたヘルメットにおいて、前記バンド部材を、両端部にそれぞれ係止用の係合孔または係合突部を設けて可撓性材により弧状に形成していると共に、前記帽体を、発泡スチロール等の軽量緩衝材料により前記着用者が頭部に冠着すべき形状に形成された内側帽体と、この内側帽体の外側形状にほぼ倣った内面形状を有し、該内側帽体の外側を覆って該内側帽体にほぼ密着して配置される外側帽体とで構成し、かつ、前記内側帽体に、前記バンド部材の両端部をそれぞれ内側から外側まで通す左右一対の貫通孔と、該貫通孔を貫通した前記バンドの両端部をほぼ９０度屈曲させると前記係合孔または係合突部と互いに係止可能な係合突部または係合孔とを設けてなり、前記バンド部材の係合孔または係合突部と前記内側帽体の係合突部または係合孔とを互いに係止させた状態で、前記内側帽体に前記外側帽体を被着してなるヘルメットを提供する。
【０００６】
この構成によれば、バンド部材の両端部を、内側帽体の内側から貫通孔を通して外側に各々突出させ、その突出されたバンド部材の両端部をそれぞれほぼ９０度屈曲させて折り曲げると、バンド部材の係合孔または係合突部が内側帽体の係合突部または係合孔に係合される。
【０００７】
さらに、外側帽体を内側帽体の外側に被着させると、バンド部材の係合孔または係合突部と内側帽体の係合突部または係合孔との係合部分が、外側帽体の内周面によって外側から押さえられ、これにより係合孔と係合突部との間が抜け止めされて、バンド部材の帽体への固定取り付けが完了する。
【０００８】
請求項２記載の発明は、請求項１において、上記バンド部材の各端部と上記外側端部との間に、上記内側帽体に前記外側帽体を被着したとき、前記バンド部材の各端部を前記内側帽体に対し押し付け、前記内側帽体と前記外側帽体との間における前記バンド部材の遊びを無くすスペーサを設ける。
【０００９】
この構成によれば、バンド部材の各端部と上記外側端部との間に設けたスペーサにより、内側帽体と前記外側帽体との間におけるバンド部材の遊びを無くして、バンド部材を帽体にしっかりと固定することができる。
【発明の効果】
【００１０】
請求項１記載の発明は、バンド部材の両端部を、内側帽体の内側から貫通孔を通して外側に各々突出させるとともに、その突出されたバンド部材の両端部をそれぞれ折り曲げて内側帽体の外面に係止させ、さらに、外側帽体を内側帽体の外側に被着させるだけで、バンド部材を帽体に固定取り付けすることができるので、取り付けにおける構造の簡略化が図れ、コストを下げて安価に提供することができる。
【００１１】
また、バンド部材の両端部は、内側帽体の内側から貫通孔を通って外側に引き出され、かつ、その内側帽体の外側で折り曲げられて固定され、内側帽体の内側には、止め具等の突起物を設けていないので、従来構造で使用していた周回ヘッドバンドやハンモック等を省略することができる。これにより、さらにヘルメットの小形・軽量化及び構造の簡略化が図れる。
【００１２】
請求項２記載の発明は、内側帽体と前記外側帽体との間におけるバンド部材の遊びを無くして、帽体にバンド部材をしっかりと固定することができるので、請求項１記載の発明の効果に加えて、ヘルメットの着用安定性および装着感の向上が得られる。
【発明を実施するための最良の形態】
【００１３】
以下、本発明に係るヘルメットについて、好適な実施例をあげて説明する。  ヘルメットの小形・軽量化と、構造の簡略化を図りつつ製作コスト等を下げて安価に提供するという目的を達成するために、帽体の後部内側に装備され、着用者の後頭部外側を取り巻くように装着される、ヘッドバンドの長さを調節できるように構成されたアジャスタ機構付のバンド部材を備えたヘルメットにおいて、前記バンド部材を、両端部にそれぞれ係止用の係合孔または係合突部を設けて可撓性材により弧状に形成していると共に、前記帽体を、発泡スチロール等の軽量緩衝材料により前記着用者が頭部に冠着すべき形状に形成された内側帽体と、この内側帽体の外側形状にほぼ倣った内面形状を有し、該内側帽体の外側を覆って該内側帽体にほぼ密着して配置される外側帽体とで構成し、かつ、前記内側帽体に、前記バンド部材の両端部をそれぞれ内側から外側まで通す左右一対の貫通孔と、該貫通孔を貫通した前記バンドの両端部をほぼ９０度屈曲させると前記係合孔または係合突部と互いに係止可能な係合突部または係合孔とを設けてなり、前記バンド部材の係合孔または係合突部と前記内側帽体の係合突部または係合孔とを互いに係止させた状態で、前記内側帽体に前記外側帽体を被着してなるヘルメットを提供する。
【実施例】
【００１４】
図１〜図５は本発明の実施例に係るヘルメットを示すものである。図１，図２及び図４に示すように、このヘルメット１は、帽体２と、この帽体２の後部内側に装備されるバンド部材３等で構成されている。また、帽体２は、内側帽体２Ａと外側帽体２Ｂとで構成されている。
【００１５】
内側帽体２Ａは、帽体２に外部から衝撃が加わった際に着用者の頭部に伝わる衝撃を緩和する衝撃吸収ライナとして機能するものであって、発泡スチロール等の軽量緩衝材料から成形加工されている。この内側帽体２Ａの内面形状は、着用者が頭部に冠着すべき形状に形成されており、また左右両側には着用者が冠着したとき耳の外側を覆って保護する耳当て部４を一体に設けている。
【００１６】
内側帽体２Ａの内面には、内側から外側まで貫通している通気孔５Ａを、前後方向に離れて各々３個ずつ、各々列をなした状態で、左右に分かれて設けている。また、左右の耳当て部４にも、それぞれ通気孔５Ｂを設けている。
【００１７】
内側帽体２Ａの左右両側部には、内側から外側まで貫通する貫通孔６を設けている。内側帽体２Ａの外面側には、貫通孔６と連通している凹部７を設け、この凹部７内にさらに係止用の係合突部８を設けている。
【００１８】
外側帽体２Ｂは、例えばポリスチレンなどの硬質合成樹脂を成形加工してなるもので、内面形状は内側帽体２Ａの外側形状にほぼ倣った形状に形成されている。ただし、内側帽体２Ａの外側面に、比較的小さな凹凸やうねり等があっても、この凹凸やうねり等に正確に倣う必要はない。そして、外側帽体２Ｂは、内側帽体２Ａの外側から内側帽体２Ａに被せると、図１に示すように、下端部外周のスカート部分９を除き、内側帽体２Ａの外側を覆ってほぼ密着嵌合された状態で、取り外し可能に結合配置される。
【００１９】
また、外側帽体２Ｂの内面には、内側帽体２Ａの通気孔５Ａに対応して内側から外側まで貫通している通気孔１０Ａを、前後方向に離れて各々３個ずつ、各々列をなした状態で、左右に分かれて設けている。さらに、左右の両側面の耳当て部１４にも、内側帽体２Ａの左右の耳当て部４に対応して、通気孔１０Ｂを各々設けている。したがって、内側帽体２Ａの外側に外側帽体２Ｂが装着されると、通気孔５Ａと通気孔１０Ａとが対応するとともに、通気孔５Ｂと通気孔１０Ｂとが重なり合って１つの孔となり、帽体２の内側と外側との通気が得られるようになっている。
【００２０】
バンド部材３は、中間部にベルトの長さを調整可能なアジャスタ機構１１を設け、全体として弧状に形成された可撓性を有する帯状のヘッドバンドであり、左右の両端部３ａ，３ａには係止用の係合孔１２を設けている。この係合孔１２は、内側帽体２Ａの係合突部８と係合可能な大きさ・形状に作られている。また、各端部３ａ，３ａの外周形は、内側帽体２Ａの凹部７の内周形とほぼ等しく形成されている。したがって、係合孔１２に係合突部８を挿入係合させると、各端部３ａ，３ａも同時に凹部７内に嵌合させた状態で挿入されるようになっている。
【００２１】
そして、このヘッドバンドとしてのバンド部材３は、図５に示すように、端部３ａを内側帽体２Ａの内側から貫通孔６を通って外側まで引き出し、この引き出された端部３ａを、図３に２点鎖線で示すようにほぼ９０度外側に折り曲げ、さらに該端部３ａを凹部７に対応させて内側帽体２Ａの外面に押し付けると、該端部３ａの係合孔１２に係合突部８を挿入係止させることができる。
【００２２】
次に、このように構成されたヘルメットの組立手順を説明する。内側帽体２Ａに外側帽体２Ｂを被せる前に、まず、バンド部材３の両端部３ａ，３ａを、内側帽体２Ａの内側から左右の貫通孔６にそれぞれ挿入し、これを外側まで引き出す。また、外側に引き出された端部３ａ，３ａを各々ほぼ９０度外側に折り曲げ、各端部３ａ，３ａの係合孔１２に係合突起８，８をそれぞれ挿入係止させる。これにより、各端部３ａ，３ａが、それぞれ凹部７，７内に仮固定される。
【００２３】
次いで、内側帽体２Ａに外側帽体２Ｂを被せる。これにより、係合突起８と係合されている各端部３ａ，３ａの外側に外側帽体２Ｂの内面がほぼ密着して配置され、各端部３ａ，３ａの外側を、係合孔１２と係合突起８との係合が外れないように押さえる。この押さえにより、バンド部材３の両端部３ａ，３ａが内側帽体２Ａに確実に固定され、組立が完了する。
【００２４】
また、このように組み立てられたヘルメット１には、内側帽体２Ａの内側にクッション用のスポンジ１３を取り付ける。さらに、ヘルメット１には、これ以外にも、顎ひも等も取り付けられるが、説明を簡略化するために省略している。
【００２５】
そして、このヘルメット１は、バンド部材３の操作ノブ３Ａを右または左方向に回転させると、その回転方向に応じて、ヘッドバンドを構成しているバンド部材３における全体の弧が大きくなる。バンド部材３の弧状部分が拡がった状態で、その中に、図１中に２点鎖線で示すように、着用者が頭部Ｈを入れて被ると、着用者の頭にスポンジ１３を介して装着され、バンド部材３が後頭部外側を取り巻くように装着される。続いて、操作ノブ３Ａを逆方向に回転させると、弧が狭まり、スポンジ１３とバンド部材３との間で頭部Ｈを弾性的に挟んだ状態で装着される。
【００２６】
したがって、このように構成されたヘルメット１は、簡単な構造でバンド部材３を確実に取り付けることができるので、コストを下げて安価に提供することができる。また、バンド部材３の両端部３ａ，３ａは、内側帽体２Ａの内側から外側に通され、かつ、その外側で固定され、内側には止め具等の突起物を設けていないので、従来構造で使用していた周回ヘッドバンドやハンモック等を省略することができ、さらに小形・軽量化及び構造の簡略化が図れることになる。
【００２７】
なお、上記実施例の構造では、バンド部材３の両端部３ａ，３ａに係合孔１２を設けるとともに、内側帽体２Ａの外側に係合突部８を設けた構造を開示したが、反対に、バンド部材３側に係合突部を設け、内側帽体２Ａの外側に係合孔を設けた構造にしてもよい。
【００２８】
また、図６に示すように、内側帽体２Ａに外側帽体２Ｂを被着したとき、バンド部材３の各端部３ａ，３ａを内側帽体２Ａに対し押圧して、内側帽体２Ａと外側帽体２Ｂとの間におけるバンド部材３の遊びを無くすスペーサ１５を、バンド部材３の各端部３ａ，３ａと外側端部２Ｂとの間に設ける構造にしても良い。この構造では、内側帽体２Ａと外側帽体２Ｂとの間におけるバンド部材３の端部３ａの遊びを無くし、バンド部材３を帽体２に対してしっかりと固定することができる。このスペーサ１５としては、内側帽体２Ｂを構成している例えば発泡スチロール材よりなる板状片であり、また凹部７の開口を閉じるようにして取り付けられる。
【００２９】
図７、図８、図９及び図１０はそれぞれ、本発明の他の実施例に係るヘルメットを示す分解斜視図、側面図、要部断面図及び下面図である。尚、説明の都合上、前記実施例と同一構成部分については同一符号を付して、その説明を省略する。本実施例の特徴は、内側帽体２Ａに、バンド部材３の端部３aを押付け固定する押さえ駒（スペーサ部材）１７を取り付けるとともに、押さえ駒１７に、バンド部材３の折り曲げ部３ｂを押付け固定するための足部を設けたことにある。
【００３０】
バンド部材３の端部３aは、係合突起８に係合孔１２に挿入係合されると同時に、端部３aのL形部分がL形凹部７内に嵌合係止されるが、係合突部８及び端部３aの外面に密接当接する押さえ駒１７により、端部３aの固定保持ないし抜け防止が施されている。
【００３１】
押さえ駒１７は、例えば、図９に例示するように、内側帽体２Ａの切欠凹面１８に係合固定される係止部１７aと、内側帽体２Ａの貫通孔６の内面一側に折り曲げ部３ｂを介して装着固定されるスペーサ兼用一側足部１７ｂと、貫通孔６の内面他側に装着固定されるスペーサ兼用他側足部１７cとが一体に形成されている。
なお、押さえ駒１７の構造は、内側帽体２Ａ外面側の凹部又は凸部２０に装着固定され、前記ンド部材３の端部３aを内側帽体２Ａに押圧固定する固定保持部できるように構成すればよく、押さえ駒１７の形状や寸法などは特に限定されない（図１１参照）。
【００３２】
従って、バンド部材３の折り曲げ部３ｂは、押さえ駒１７の一側足部１７ｂにより貫通孔６の内面に押圧密着されているので、貫通孔６内で折り曲げ部３ｂが可動してすることがなく緩むことが抑止される。このことにより、係合突起８に対する端部３ａの固定保持が増大し、端部３ａの固定部分が外れることを確実に阻止することができる。
【００３３】
本発明では、周回ヘッドバンド、ハンモック、スポンジ等を省略でき、これにより、ヘルメット１の更なる小形・軽量化及び簡素化構造が図れ、ヘルメット１を安価に量産することができる。また、従来に比べ、内側帽体２Ａの内面に凸部を有しないので、ヘルメット１の着用時に、内側帽体２Ａへの頭部Ｈの密着性乃至被着性が著しく良くなり、ヘルメット１の着用安定性が向上する。
【００３４】
さらに、これ以外にも、本発明は、本発明の精神を逸脱しない限り種々の改変を為すことができ、そして、本発明が該改変されたものに及ぶことは当然である。
【図面の簡単な説明】
【００３５】
【図１】本発明の実施例に係るヘルメットの側面図。
【図２】同上ヘルメットの底面図。
【図３】図１のＡ−Ａ線拡大断面図。
【図４】同上ヘルメットの分解図。
【図５】同上ヘルメットにおけるバンド部材の端部の取り付けを説明する要部斜視図。
【図６】同上ヘルメットにおけるバンド部材の端部取付け構造の一変形例を説明する断面図である。
【図７】本発明の他の実施例に係るヘルメットを示す分解斜視図。
【図８】同上ヘルメットの側面図。
【図９】図１のＢ−Ｂ線拡大断面図。
【図１０】同上ヘルメットの下面図。
【図１１】同上ヘルメットにおけるバンド部材の端部を押圧固定する押さえ駒の構成例を示す平面図。
【符号の説明】
【００３６】
１      ヘルメット
２      帽体
２Ａ    内側帽体
２Ｂ    外側帽体
３      バンド部材
３ａ    端部
３Ａ    操作ノブ
４      耳当て部
５Ａ    通気孔
５Ｂ    通気孔
６      貫通孔
７      凹部
８      係合突部
９      スカート部分
１０Ａ  通気孔
１０Ｂ  通気孔
１１    アジャスタ機構
１２    係合孔
１３    スポンジ
１４    耳当て部
１５    スペーサ
Ｈ      頭部
【図１】
2006316376.tif 000003
【図２】
2006316376.tif 000004
【図３】
2006316376.tif 000005
【図４】
2006316376.tif 000006
【図５】
2006316376.tif 000007
【図６】
2006316376.tif 000008
【図７】
2006316376.tif 000009
【図８】
2006316376.tif 000010
【図９】
2006316376.tif 000011
【図１０】
2006316376.tif 000012
【図１１】
2006316376.tif 000013